(57)【特許請求の範囲】
【請求項１】
鏡板（１）と、この鏡板（１）の縁部に取り付けられる框材（２）とから構成される扉であって、鏡板（１）の表面の少なくとも一部が鏡（３）であるとともにこの鏡（３）の幅寸法に対して中央部近傍にハンガ−（７）を引掛けるための空間部（４）が形成されており、空間部（４）に引掛けられたハンガ−（７）に衣服（８）を掛けて人がこの鏡（３）の前に立った時に鏡（３）は人が衣服（８）を着た状態を写すことを特徴とする扉。
【請求項２】
空間部（４）が鏡（３）の幅方向に沿って平行に、かつ複数形成されていることを特徴とする請求項１記載の扉。
【請求項３】
空間部（４）内に、空間部に着脱可能な突起状の棒状材（５）が鏡（３）の前面から突出する形で取り付けられていることを特徴とする請求項１または請求項２記載の扉。
【発明の詳細な説明】
【０００１】
【発明の属する技術分野】
本発明は空間部が形成された鏡が前面に設けられた扉に関するものである。
【０００２】
【発明が解決しようとする課題】
従来から表面に鏡が設けられているクロゼット等の扉は知られている。この扉は衣服を着て全身を見たりするのには問題ないが、衣服を着ないで手に取り、鏡を見て本人に合わせる場合にはこの衣服を位置決めする手段がないために腕を曲げたまま肩まで衣服を上げる必要があり、長時間衣服を持つことが困難であるという問題があった。
【０００３】
【課題を解決するための手段】
本発明は第１発明として鏡板と、この鏡板の縁部に取り付けられる框材とから構成される扉であって、鏡板の表面の少なくとも一部が鏡であるとともにこの鏡の幅寸法に対して中央部近傍にハンガ−を引掛けるための空間部が形成されており、空間部に引掛けられたハンガ−に衣服を掛けて人がこの鏡の前に立った時に鏡は人が衣服を着た状態を写すことを特徴とする扉、第２発明として第１発明の具体的実施形態に係り、空間部が鏡の幅方向に沿って平行に、かつ複数形成されていることを特徴とする扉、第３発明として第１発明または第２発明の具体的実施形態に係り、空間部内に、空間部に着脱可能な突起状の棒状材が鏡の前面から突出する形で取り付けられることを特徴とする扉に係るものである。
【０００４】
【発明の実施の形態】
以下、本発明を図面に示す実施の形態に基づいて詳しく説明する。図１は本発明の一実施形態に係る鏡の上方に空間部が形成された折れ戸の正面図である。図２は図１の折れ戸のＡ−Ａ拡大断面図である。また、図３は設置された状態の折れ戸の正面図である。
【０００５】
この折れ戸の構造について説明する。この折れ戸は縦寸法２，０００ｍｍ、横寸法４００ｍｍ、厚み寸法３０ｍｍの合板からなる鏡板１、およびこの鏡板１の幅方向の縁部を縁取るように取り付けられる縦寸法１００ｍｍ、横寸法４００ｍｍ、厚み寸法６０ｍｍの木質の無垢材からなる框材２ａと、縦方向の縁部を縁取るように取り付けられる縦寸法２，０１０ｍｍ、横寸法１００ｍｍ、厚み寸法６０ｍｍの木質の無垢材からなる框材２ｂ、および鏡板１の前面に取り付けられる縦寸法１，９００ｍｍ、横寸法３００ｍｍ、厚み寸法８ｍｍの鏡３、および框材２ｂの表面に取り付けられる縦長形状の取手６が組み合わされて形成される扉１０二体、そして、この二体の扉１０同士を中央において連結する金具（図示せず）等から構成される。これらの部材の寸法および材質はこれに限定されるものではない。また、この折れ戸に使用される扉１０は二体とも空間部が形成されている鏡が取り付けられているものでなくてよく、どちらか一方がこれと同じ構成であれば構わない。また、この他にも一方の扉には空間部が形成されている鏡が取り付けられているものを使用し、他方の扉には鏡が取り付けられていないものを使用することも考えられる。この扉１０の鏡３は人間のほぼ全身が写るように形成されているが全身ではなく上半身だけ写るように形成しても構わない。この空間部４は高さ方向１，５００ｍｍの位置に形成されているがこれは使用者の肩の高さとほぼ一致するように合わせられている。また、鏡板１、鏡３の空間部４に相当する箇所にはこの空間部４と同じ大きさの空間部９が同様に形成されている。これら２種類の空間部は衣服８を引掛ける為のハンガ−７を吊り下げることが可能であり、ここにハンガ−７を吊り下げても鏡３が破損しないように鏡板１が鏡３の裏側から取り付けられており、この鏡板１が鏡３の補強板としても機能している。また、これら空間部を構成する鏡３および鏡板１の切り欠き箇所を保護するために合成樹脂シ−ト等をこの切り欠き箇所に貼着してもよい。また、この扉１０において空間部４は鏡３を所定の形状に切り欠くことによって形成されているが、単に扉１０表面に隙間が開けられるように寸法の短い鏡板１を二体以上配置し、この鏡板１表面にそれぞれ鏡３を固定して空間部４を形成するというものであってもよい。空間部４は例えば図４のように円形状に形成することも考えられる。この空間部４の位置および大きさはこれに限定されるものではない。
【０００６】
本発明の実施例において折れ戸は二セット使用されており、それぞれの折れ戸を取手６を摘んで二体の扉１０の中央で折り曲げ、左右に移動させることによって扉が開閉されるように上枠材１３の下面には折れ戸に取り付けられる吊り戸車（図示せず）に対応するレ−ル材（図示せず）が取り付けられている。図面中１５は床、１６は壁１４の表面に取り付けられる幅木、１２は折れ戸用の枠体を構成する縦枠材、１３は上枠材、１９は下枠材である。また、１７は縦枠材の側面に取り付けられる縦縁材、１８は上枠材１３の側面に取り付けられる上縁材である。取り付けられる折れ戸の数は壁１４の凹所の幅寸法に応じて決定されるものであり、壁１４の凹所の幅寸法が大きければ大きいほど当然使用される折れ戸の数は多くなる。この壁１４の凹所内は衣服の収納部として使用しても、それ以外の収納部として使用しても構わない。また、本発明の実施形態においては扉として折れ戸を使用しているが通常の開き戸、また、引き戸であっても構わない。しかし、引き戸を使用する場合には奥側に位置する扉１０を幅方向にスライド移動させる時にハンガ−７を取り外さなければ扉１０を破損する恐れがあるために注意が必要である。また、この扉１０は壁１４の凹所等の収納部に取り付けられるものとしてだけでなく、部屋と部屋とを仕切る間仕切り等としても使用できるということはいうまでもない。
【０００７】
図５は鏡の幅方向に対して平行に、かつ複数の空間部が形成された折れ戸の正面図である。この空間部４は一体の扉１０につき４ヶ所形成されているがこれに限定されるものではなく、適宜必要に応じて形成すればよい。また、空間部４の寸法および形状についても同様である。このように空間部４を段階的に複数形成することによって衣服８を掛けたハンガ−７を吊り下げて背丈の異なる様々な人が自分の姿を衣服８と照合させて見る場合に人に応じて衣服８を適宜箇所に位置付けることが可能となる。
【０００８】
図６は空間部内に突起状の棒状材が取り付けられた折れ戸の正面図である。この棒状材５は木質材から構成されているが、これに限定されるものではない。この棒状材５は必要に応じて着脱可能なように空間部４内に取り付けられる。または空間部を構成する鏡３および鏡板１の切り欠き箇所を挟持する形で取り付けられるものであっても構わない。この棒状材５を空間部４内に鏡３の前面から突出する形で取り付けることによってハンガ−７をこの空間部４に引掛ける必要のない時に例えば帽子等、様々な物を鏡３に干渉されることなく引掛けることができるようになる。また、空間部４が複数形成されている場合、必要な箇所に必要な数の棒状材５を取り付ければよいため非常に便利である。
【０００９】
【発明の効果】
本発明の扉を使用することにより衣服を掛けたハンガ−を吊り下げた時に衣服を着ずに人が自分の姿を衣服と照合させて見ることができるようになる。
【００１０】
また、空間部を鏡の幅方向に対して平行に、かつ複数形成することによって衣服を掛けたハンガ−を吊り下げて背丈の異なる様々な人が自分の姿を衣服と照合させて見る場合に人に応じて衣服を適宜箇所に位置付けることが可能となる。
【００１１】
また、空間部内に突起状の棒状材を鏡の前面から突出する形で取り付けることによって様々な物を鏡に干渉されずに引掛けることができるようになる。
【図面の簡単な説明】
【図１】      本発明の一実施形態に係る鏡の上方に空間部が形成された折れ戸の正面図。
【図２】図１の折れ戸のＡ−Ａ拡大断面図。
【図３】設置された状態の折れ戸の正面図。
【図４】鏡の空間部が円形である折れ戸の正面図。
【図５】鏡の幅方向に対して平行に、かつ複数の空間部が形成された折れ戸の正面図。
【図６】空間部内に突起状の棒状材が嵌装された折れ戸の正面図。
【符号の説明】
１  鏡
２  框材
３  鏡板
４  空間部
５  棒状材
７  ハンガ−
８  衣服
【図１】
0003940486.tif 000002
【図２】
0003940486.tif 000003
【図３】
0003940486.tif 000004
【図４】
0003940486.tif 000005
【図５】
0003940486.tif 000006
【図６】
0003940486.tif 000007